【事件の表示】
　特許第２５６２５２１号「映像処理システムにおける切換制御装置」の特許請求の範囲第１項、第５項、第９項、第１３項に記載された発明の特許について、次のとおり決定する。
【結論】
　特許第２５６２５２１号の特許請求の範囲第１項、第５項、第９項、第１３項に記載された発明についての特許を取り消す。
【理由】
Ｉ．手続の経緯
　本件特許第２５６２５２１号の発明についての出願は、西暦１９８６年（昭和６１年）８月２２日に大韓民国にした特許出願に基づいて優先権を主張した昭和６２年８月２０日の特許出願である特願昭６２−２０７３６０号の一部を平成３年１月３１日に新たな特許出願とし、平成８年９月１９日にその発明についての設定登録がなされた後、その特許について、特許異議申立人渡部廣美及び内海英孝より特許異議申し立てがなされ、当審において取消理由通知がなされた後、平成１０年４月２１日に特許異議意見書が提出されたものである。
ＩＩ．本件発明
　本件特許の請求項１、５、９及び１３に係る各発明は、特許明細書及び図面の記載からみて、次の請求項１、５、９及び１３の記載事項により特定されるとおりのものと認められる。
　【請求項１】
「映像記録再生部とビデオカメラ部と電源部とを具備し、上記映像記録再生部及びビデオカメラ部に上記電源部から電源を供給し、上記ビデオカメラ部からの映像及び音声信号を上記映像記録再生部に印加するように構成された映像処理システムにおいて、
　上記映像記録再生部に電源を供給するための第１モードと、上記映像記録再生部及びビデオカメラ部に電源を供給する第２モード中のある１つのモードを選択し、その選択されたモードにより前記電源部からの電源に基づいて所定の入力信号選択制御信号を発生する第１の選択制御手段と、
　上記第１の選択制御手段からの入力信号選択制御信号に応答して、上記第２モード選択時に上記ビデオカメラ部からの映像及び音声信号が前記映像記録再生部に入力されるように選択切換する第１の入力信号選択手段とを具備し、
　前記第１の入力信号選択手段は、前記映像処理システムに外部の映像及び音声信号を入力するための補助入力手段を具備し、前記第１モード選択時上記入力信号選択手段が上記外部の映像及び音声信号を前記映像記録再生部に入力するように選択切換することを特徴とする映像処理システムにおける切換制御装置。」
　【請求項５】
「映像記録再生部とビデオカメラ部と映像表示部と電源部とを具備し、上記映像記録再生部、ビデオカメラ部及び映像表示部に上記電源部から電源を供給し、上記ビデオカメラ部からの映像及び音声信号を上記映像記録再生部に印加するように構成された映像処理システムにおいて、
　上記映像記録再生部と映像表示部に電源を供給するための第１モードと、上記映像記録再生部、ビデオカメラ部及び映像表示部に電源を供給する第２モード中のある一つのモードを選択し、その選択されたモードにより前記電源部からの電源に基づいて所定の入力信号選択制御信号を発生する第２の選択制御手段と、
　上記第２の選択制御手段からの入力信号選択制御信号に応答して、上記第２モード選択時に上記ビデオカメラ部からの映像及び音声信号が前記映像記録再生部に入力されるように選択切換する第２の入力信号選択手段とを具備し、
　前記第２の入力信号選択手段は、前記映像処理システムに外部の映像及び音声信号を入力するための補助入力手段を具備し、前記第１モード選択時上記入力信号選択手段が上記外部の映像及び音声信号を前記映像記録再生部に入力するように選択切換することを特徴とする映像処理システムにおける切換制御装置。」
　【請求項９】
「映像記録再生部とビデオカメラ部とＴＶチューナ部と電源部とを具備し、上記映像記録再生部、ビデオカメラ部及びＴＶチューナ部に上記電源部から電源を供給し、上記ビデオカメラ部又はＴＶチューナ部からの映像及び音声信号を上記映像記録再生部に印加するように構成された映像処理システムにおいて、
　上記映像記録再生部に電源を供給するための第１モードと、上記映像記録再生部及びビデオカメラ部に電源を供給する第２モードと、上記映像記録再生部及びＴＶチューナ部に電源を供給する第３モード中のある一つのモードを選択し、その選択されたモードにより前記電源部からの電源に基づいて所定の入力信号選択制御信号を発生する第３の選択制御手段と、
　上記第３の選択制御手段からの入力信号選択制御信号に応答して、上記第２モード選択時に上記ビデオカメラ部からの映像及び音声信号が前記映像記録再生部に入力されるように選択切換え、上記第３モード選択時には上記ＴＶチューナ部からの映像及び音声信号が前記映像記録再生部に入力されるように選択切換する第３の入力信号選択手段とを具備し、
　前記第３の入力信号選択手段は、前記映像処理システムに外部の映像及び音声信号を入力するための補助入力手段を具備し、前記第１モード選択時上記入力信号選択手段が上記外部の映像及び音声信号を前記映像記録再生部に入力するように選択切換することを特徴とする映像処理システムにおける切換制御装置。」
　【請求項１３】
「映像記録再生部とＴＶチューナ部と映像表示部と電源部とを具備し、上記映像記録再生部、ＴＶチューナ部及び映像表示部に上記電源部から電源を供給し、上記ＴＶチューナ部からの映像及び音声信号を上記映像記録再生部に印加するように構成された映像処理システムにおいて、
　上記映像記録再生部と映像表示部とに電源を供給するための第１モードと、上記映像記録再生部映像表示部及びＴＶチューナ部に電源を供給する第２モード中のある一つのモードを選択し、その選択されたモードにより前記電源部からの電源に基づいて所定の入力信号選択制御信号を発生する第４の選択制御手段と、
　上記第４の選択制御手段からの入力信号選択制御信号に応答して、上記第２モード選択時に上記ＴＶチューナ部からの映像及び音声信号が前記映像記録再生部に入力されるように選択切換する第４の入力信号選択手段とを具備し、
　前記第４の入力信号選択手段は、前記映像処理システムに外部の映像及び音声信号を入力するための補助入力手段を具備し、前記第１モード選択時上記入力信号選択手段が上記外部の映像及び音声信号を前記映像記録再生部に入力するように選択切換することを特徴とする映像処理システムにおける切換制御装置。」
ＩＩＩ．引用刊行物記載の発明
刊行物１．特開昭５８−１３９５７１号公報
刊行物２．実願昭５５−８６３６３号（実開昭５７−１０１４１号）のマイクロフィルム
刊行物３．米国特許第３，４８４，５４８号明細書
　先の取消理由通知において引用した上記刊行物１には、電源の供給経路に設けられたスイッチＳＷと機械的に連動して短絡、解放する端子であって、映像信号の選択切換を行う端子（ａ），（ｂ）を有し、ビデオカメラＶＣで得られた映像信号の記録時には、ビデオカメラＶＣにスイッチＳＷを介して給電すると共に、ビデオレコーダＶＲ、電子ビューファインダＥＶＦに給電し、ビデオカメラＶＣからの信号を端子（ａ），（ｂ）を介してビデオレコーダＶＲ、電子ビューファインダＥＶＦに供給すると共に、外部入力を用いた記録時には、ビデオレコーダＶＣ、電子ビューファインダＥＶＦにのみ給電し、スイッチＳＷを開放することによりビデオカメラＶＣには給電を行わず、外部入力端子Ｃ２に接続された入力ピンＣ１からの信号を端子（ａ）を介してビデオレコーダＶＲ、電子ビューファインダＥＶＦに供給する、ビデオシステムが記載されている。（特に、第２頁右上欄第７行〜第２０行参照。）
　また、同じく先の取消理由通知において引用した上記刊行物２には、入力源１，２，…，Ｎの各々の電源スイッチのオン・オフを検知し、オン状態のときに各々の入力源切換スイッチＳ１，Ｓ２，…，Ｓｎをオンせしめる切換制御回路Ｃ１，Ｃ２，…，Ｃｎを設けること（特に、明細書第３頁第１行〜第１８行参照。）、及び、切換制御回路Ｃ１，Ｃ２，…，Ｃｎとして、入力源の電源スイッチに直結した電磁リレーを用いること（特に、明細書第４頁第８〜１０行参照。）が記載されている。このものでは、図面の記載から、入力源の電源供給状態に応じて切換制御回路から入力源切換スイッチに対して制御信号が出力されることは、明らかであり、また、切換制御回路Ｃ１，Ｃ２，…，Ｃｎとして、入力源の電源スイッチに直結した電磁リレーを用いると、電源によって電磁リレーが動作して、電磁リレーによって、入力源切換スイッチに対して制御信号が出力される、即ち、入力源の電源供給状態に応じて、かつ、電源に基づいて発生される制御信号を用いて、入力源の電源供給状態と入力源切換スイッチにおける入力源の選択とを連動させていることになる。
　さらに、同じく先の取消理由通知において引用した上記刊行物３には、ＴＶカメラ１４からの映像信号をビデオレコーダ１２で録画・再生し、録画されるビデオ信号をＴＶ受像機１３でモニタする第３モードでは、セレクタ・スイッチ１５の位置をｃとして、ＴＶカメラ１４の映像出力ピン５３をビデオレコーダ１２の映像入力ピン７７に接続し、ビデオレコーダ１２の映像出力ピン７９を発振変調器５１の入力に接続し、発振変調器５１の出力をＴＶ受像機１３に接続すると共に、ＴＶカメラ１４のマイク出力ピン５９をビデオレコーダ１２の音声入力ピン８７に接続し、ビデオレコーダ１２の音声出力ピン８９を音声アンプ６５の入力に接続し、さらに、直流電源４９をオンにして、発振変調器５１に接続すると共に、直流電源４９から音声アンプ６５に給電し、ＡＣ電源をＴＶカメラ１４、ビデオレコーダ１２に接続すること、及び、放送信号をビデオレコーダ１２で録画・再生し、録画されるビデオ信号をＴＶ受像機１３でモニタする第４モードでは、セレクタ・スイッチ１５の位置をｄとし、ＶＨＦチューナ９９に接続された復調器１０１の映像出力をビデオレコーダ１２の映像入力ピン７７に接続し、ビデオレコーダ１２の映像出力ピン７９を発振変調器５１の入力に接続し、発振変調器５１の出力をＴＶ受像機１３に接続すると共に、復調器１０１の音声出力をビデオレコーダ１２の音声入力ピン８７に接続し、ビデオレコーダ１２の音声出力ピン８９を音声アンプ６５の入力に接続し、さらに、直流電源４９をオンして、発振変調器５１に接続すると共に、直流電源４９から音声アンプ６５に給電し、また、ビデオレコーダ１２が録画モードの間、直流電源４９を、ＵＨＦチューナ９７、ＶＨＦチューナ９９、復調器１０１に接続し、さらに、ＡＣ電源をビデオレコーダ１２に接続することが記載されている。（特に、第３欄第３１行〜第５欄第２１行参照。）また、このものでは、第１モーから第５モードまでのすべてのモードでＴＶ受像機１３を作動させる旨の記載があることから、いずれのモードにおいても、ＴＶ受像機１３に電源が供給されていることは明らかである。
ＩＶ．対比・判断
　（１）請求項１に係る発明について
　本件請求項１に係る発明と、上記刊行物１に記載された発明とを比較すると、両者は、
「映像記録再生部とビデオカメラ部と電源部とを具備し、上記映像記録再生部及びビデオカメラ部に上記電源部から電源を供給し、上記ビデオカメラ部からの映像及び音声信号を上記映像記録再生部に印加するように構成された映像処理システムにおいて、
　上記映像記録再生部に電源を供給するための第１モードと、上記映像記録再生部及びビデオカメラ部に電源を供給する第２モード中のある１つのモードを選択する第１の選択制御手段と、
　これらのモードに応答して、上記第２モード選択時に上記ビデオカメラ部からの映像及び音声信号が前記映像記録再生部に入力されるように選択切換する第１の入力信号選択手段とを具備し、
　前記第１の入力信号選択手段は、前記映像処理システムに外部の映像及び音声信号を入力するための補助入力手段を具備し、前記第１モード選択時上記入力信号選択手段が上記外部の映像及び音声信号を前記映像記録再生部に入力するように選択切換することを特徴とする映像処理システムにおける切換制御装置。」である点で一致し、
　本件請求項１に係る発明では、選択されたモードにより電源部からの電源に基づいて発生された入力信号選択制御信号に応答して、映像及び音声信号の選択切換を行う入力信号選択手段を設けているのに対し、上記刊行物１に記載された発明では、電源の供給経路に設けられたスイッチＳＷと機械的に連動して短絡、解放する端子であって、映像信号の選択切換を行う端子（ａ），（ｂ）を設けている点、即ち、入力源の電源供給状態と入力源切換スイッチにおける入力源の選択とを連動させるために、前者では、電源部からの電源に基づいて発生された制御信号を用いているのに対し、後者では、機械的に連動する（電源系統と信号系統との）２系統のスイッチを用いている点、で一応の差異が認められる。
　しかし、この点については、上記刊行物２に、入力源１，２，…，Ｎの各々の電源スイッチのオン・オフを検知し、オン状態のときに各々の入力源切換スイッチＳ１，Ｓ２，…，Ｓｎをオンせしめる切換制御回路Ｃ１，Ｃ２，…，Ｃｎを設けることが記載されており、このものでは、上述したように、入力源の電源供給状態に応じて、かつ、電源に基づいて発生される制御信号を用いて、入力源の電源供給状態と入力源切換スイッチにおける入力源の選択とを連動させていることになり、この技術を上記刊行物１に示されたものに適用して、電源に基づいて発生される制御信号を用いて、入力源の電源供給状態と入力源切換スイッチにおける入力源の選択とを連動させるべく、短絡、解放する端子であって、映像信号の選択切換を行う端子（ａ），（ｂ）（本件特許の請求項１に係る発明の「第１の入力信号選択手段」に相当する）を、入力源の電源供給状態に応じて、かつ、電源に基づいて発生される制御信号に応答して切換えるようにして、本件特許の請求項１に係る発明のごとく構成することは、当業者が容易になし得たことと認められる。
　したがって、本件請求項１に係る発明は、上記刊行物１乃至２に記載された発明に基づいて当業者が容易に発明をすることができたものであり、本件請求項１に係る発明は、特許法第２９条第２項の規定に違反してされたものである。
　なお、特許権者は、平成１０年４月２１日付け特許異議意見書において、「刊行物１及び刊行物２において、本件特許の請求項１に係る発明の「モード」に対応する技術の教示若しくは示唆は全くなされていない」旨、主張しているが、本件特許の請求項１に係る発明の「モード」とは、映像記録再生部及びビデオカメラ部のいずれに電源を供給するかを規定したものであり、本件特許の請求項１に係る発明では、映像記録再生部のみに電源を供給するモードを第１モード、映像記録再生部及びビデオカメラ部の両者に電源を供給するモードを第２モードとして、そのモードに応答して、第１モード選択時に外部の映像及び音声信号が映像記録再生部に入力され、第２モード選択時にビデオカメラ部からの映像及び音声信号が映像記録再生部に入力されるように、第１の入力信号選択手段を選択切換させているが、上記刊行物１に記載された発明でも、映像記録再生部（ビデオレコーダＶＲ）のみに電源を供給する場合には外部の映像及び音声信号が映像記録再生部（ビデオレコーダＶＲ）に入力され、映像記録再生部（ビデオレコーダＶＲ）及びビデオカメラ部（ビデオカメラＶＣ）の両者に電源を供給する場合にはビデオカメラ部（ビデオカメラＶＣ）からの映像及び音声信号が映像記録再生部（ビデオレコーダＶＲ）に入力されるように、入力信号選択手段（端子（ａ），（ｂ））を選択切換させている点で両者は共通しており、上記刊行物１に記載された発明において、「映像記録再生部のみに電源を供給する場合」及び「映像記録再生部及びビデオカメラ部の両者に電源を供給する場合」のそれぞれが、本件特許の請求項１に係る発明の「第１モード」及び「第２モード」に相当することは明らかである。してみると、上記刊行物１に記載された発明には、本件特許の請求項１に係る発明の「モード」に相当するものが示されているといえるから、特許権者の上記主張は採用することができない。
（２）請求項５に係る発明について
　本件請求項５に係る発明と、上記刊行物１に記載された発明とを比較すると、両者は、
「映像記録再生部とビデオカメラ部と映像表示部と電源部とを具備し、上記映像記録再生部、ビデオカメラ部及び映像表示部に上記電源部から電源を供給し、上記ビデオカメラ部からの映像及び音声信号を上記映像記録再生部に印加するように構成された映像処理システムにおいて、
　上記映像記録再生部及び映像表示部に電源を供給するための第１モードと、上記映像記録再生部、ビデオカメラ部及び映像表示部に電源を供給する第２モード中のある１つのモードを選択する第２の選択制御手段と、
　これらのモードに応答して、上記第２モード選択時に上記ビデオカメラ部からの映像及び音声信号が前記映像記録再生部に入力されるように選択切換する第２の入力信号選択手段とを具備し、
　前記第２の入力信号選択手段は、前記映像処理システムに外部の映像及び音声信号を入力するための補助入力手段を具備し、前記第１モード選択時上記入力信号選択手段が上記外部の映像及び音声信号を前記映像記録再生部に入力するように選択切換することを特徴とする映像処理システムにおける切換制御装置。」である点で一致し、
　本件請求項５に係る発明では、選択されたモードにより電源部からの電源に基づいて発生された入力信号選択制御信号に応答して、映像及び音声信号の選択切換を行う入力信号選択手段を設けているのに対し、上記刊行物１に記載された発明では、電源の供給経路に設けられたスイッチＳＷと機械的に連動して短絡、解放する端子であって、映像信号の選択切換を行う端子（ａ），（ｂ）を設けている点、即ち、入力源の電源供給状態と入力源切換スイッチにおける入力源の選択とを連動させるために、前者では、電源部からの電源に基づいて発生された制御信号を用いているのに対し、後者では、機械的に連動する（電源系統と信号系統との）２系統のスイッチを用いている点、で一応の差異が認められる。
　しかし、この点については、上記「（１）請求項１に係る発明について」で述べたとおりである。
　したがって、本件請求項５に係る発明は、上記刊行物１乃至２に記載された発明に基づいて当業者が容易に発明をすることができたものであり、本件請求項５に係る発明は、特許法第２９条第２項の規定に違反してされたものである。
（３）請求項９に係る発明について
　本件請求項９に係る発明と、上記刊行物１に記載された発明とを比較すると、両者は、
「映像記録再生部とビデオカメラ部と電源部とを具備し、上記映像記録再生部及びビデオカメラ部に上記電源部から電源を供給し、上記ビデオカメラ部からの映像及び音声信号を上記映像記録再生部に印加するように構成された映像処理システムにおいて、
　上記映像記録再生部に電源を供給するための第１モードと、上記映像記録再生部及びビデオカメラ部に電源を供給する第２モード中のある１つのモードを選択する第３の選択制御手段と、
　これらのモードに応答して、上記第２モード選択時に上記ビデオカメラ部からの映像及び音声信号が前記映像記録再生部に入力されるように選択切換する第３の入力信号選択手段とを具備し、
　前記第３の入力信号選択手段は、前記映像処理システムに外部の映像及び音声信号を入力するための補助入力手段を具備し、前記第１モード選択時上記入力信号選択手段が上記外部の映像及び音声信号を前記映像記録再生部に入力するように選択切換することを特徴とする映像処理システムにおける切換制御装置。」である点で一致し、
（ａ）本件請求項９に係る発明では、選択されたモードにより電源部からの電源に基づいて発生された入力信号選択制御信号に応答して、映像及び音声信号の選択切換を行う入力信号選択手段を設けているのに対し、上記刊行物１に記載された発明では、電源の供給経路に設けられたスイッチＳＷと機械的に連動して短絡、解放する端子であって、映像信号の選択切換を行う端子（ａ），（ｂ）を設けている点、即ち、入力源の電源供給状態と入力源切換スイッチにおける入力源の選択とを連動させるために、前者では、電源部からの電源に基づいて発生された制御信号を用いているのに対し、後者では、機械的に連動する（電源系統と信号系統との）２系統のスイッチを用いている点、
（ｂ）本件請求項９に係る発明では、ＴＶチューナ部を有し、第３モード選択時には、映像記録再生部及びＴＶチューナ部に電源を供給すると共に、ＴＶチューナ部からの映像及び音声信号が前記映像記録再生部に入力されるように選択切換しているのに対し、上記刊行物１に記載された発明では、ＴＶチューナ部を有していない点、
　で、一応の差異が認められる。
　これらの差異について検討するに、まず、上記（ａ）の点については、上記「（１）請求項１に係る発明について」で述べたとおりである。
　また、上記（ｂ）の点については、上記刊行物３には、ビデオカメラ１４に加えて、ＵＨＦチューナ９７、ＶＨＦチューナ９９、ＶＨＦチューナ９９に接続された復調器１０１（これらが、本件請求項９に係る発明の「ＴＶチューナ部」に相当する）を設け、放送信号をビデオレコーダ１２で録画・再生し、録画されるビデオ信号をＴＶ受像機１３でモニタする第４モードでは、ＶＨＦチューナ９９に接続された復調器１０１の映像出力をビデオレコーダ１２の映像入力ピン７７に接続すると共に、復調器１０１の音声出力をビデオレコーダ１２の音声入力ピン８７に接続し、さらに、直流電源４９をオンして、直流電源４９を、ＵＨＦチューナ９７、ＶＨＦチューナ９９、復調器１０１に接続し、さらに、ＡＣ電源をビデオレコーダ１２に接続すること、即ち、ＵＨＦチューナ９７、ＶＨＦチューナ９９、ＶＨＦチューナ９９に接続された復調器１０１（これらが、本件請求項９に係る発明の「ＴＶチューナ部」に相当する）及びビデオレコーダ１２に給電すると共に、ＶＨＦチューナ９９に接続された復調器１０１の映像出力、音声出力がビデオレコーダ１２入力されるように選択切換をすることが記載されており、この技術を上記刊行物１に記載された発明に適用して、第３モード選択時に、映像記録再生部及びＴＶチューナ部に電源を供給すると共に、ＴＶチューナ部からの映像及び音声信号が映像記録再生部に入力されるべく選択切換するようにすることは、当業者が容易になし得たことと認められる。
　したがって、本件請求項９に係る発明は、上記刊行物１乃至３に記載された発明に基づいて当業者が容易に発明をすることができたものであり、本件請求項９に係る発明は、特許法第２９条第２項の規定に違反してされたものである。
（４）請求項１３に係る発明について
　本件請求項１３に係る発明と、上記刊行物１に記載された発明とを比較すると、本件請求項１３に係る発明のＴＶチューナも、上記刊行物１に記載された発明のビデオカメラも、共に、電源部から電源を供給される映像信号発生装置といえるから、両者は、
「映像記録再生部と映像信号発生装置と映像表示部と電源部とを具備し、上記映像記録再生部、映像信号発生装置及び映像表示部に上記電源部から電源を供給し、上記映像信号発生装置からの映像及び音声信号を上記映像記録再生部に印加するように構成された映像処理システムにおいて、
　上記映像記録再生部及び映像表示部に電源を供給するための第１モードと、上記映像記録再生部、映像信号発生装置及び映像表示部に電源を供給する第２モード中のある１つのモードを選択する第４の選択制御手段と、
　これらのモードに応答して、上記第２モード選択時に上記映像信号発生装置からの映像及び音声信号が前記映像記録再生部に入力されるように選択切換する第４の入力信号選択手段とを具備し、
　前記第２の入力信号選択手段は、前記映像処理システムに外部の映像及び音声信号を入力するための補助入力手段を具備し、前記第１モード選択時上記入力信号選択手段が上記外部の映像及び音声信号を前記映像記録再生部に入力するように選択切換することを特徴とする映像処理システムにおける切換制御装置。」である点で一致し、
（ａ）本件請求項１３に係る発明では、選択されたモードにより電源部からの電源に基づいて発生された入力信号選択制御信号に応答して、映像及び音声信号の選択切換を行う入力信号選択手段を設けているのに対し、上記刊行物１に記載された発明では、電源の供給経路に設けられたスイッチＳＷと機械的に連動して短絡、解放する端子であって、映像信号の選択切換を行う端子（ａ），（ｂ）を設けている点、即ち、入力源の電源供給状態と入力源切換スイッチにおける入力源の選択とを連動させるために、前者では、電源部からの電源に基づいて発生された制御信号を用いているのに対し、後者では、機械的に連動する（電源系統と信号系統との）２系統のスイッチを用いている点、
（ｂ）本件請求項１３に係る発明では、前記映像信号発生装置がＴＶチューナ部であるのに対し、上記刊行物１に記載された発明では、前記映像信号発生装置がビデオカメラである点、即ち、本件請求項１３に係る発明では、ＴＶチューナ部を有し、第２モード選択時には、映像記録再生部、映像表示部及びＴＶチューナ部に電源を供給すると共に、ＴＶチューナ部からの映像及び音声信号が映像記録再生部に入力されるように選択切換しているのに対し、上記刊行物１に記載された発明では、ＴＶチューナ部を有していない点、
　で、一応の差異が認められる。
　これらの差異について検討するに、まず、上記（ａ）の点については、上記「（１）請求項１に係る発明について」で述べたとおりである。
　また、上記（ｂ）の点については、上記刊行物３には、放送信号をビデオレコーダ１２で録画・再生し、録画されるビデオ信号をＴＶ受像機１３でモニタする第４モード（ＴＶ受像機１３を作動させていることから、このモードでは、ＴＶ受像機１３に電源が供給されていることは明らかである）では、ＶＨＦチューナ９９に接続された復調器１０１の映像出力をビデオレコーダ１２の映像入力ピン７７に接続し、ビデオレコーダ１２の映像出力ピン７９を発振変調器５１の入力に接続し、発振変調器５１の出力をＴＶ受像機１３に接続するすると共に、復調器１０１の音声出力をビデオレコーダ１２の音声入力ピン８７に接続し、さらに、直流電源４９をオンして、直流電源４９を、ＵＨＦチューナ９７、ＶＨＦチューナ９９、復調器１０１に接続し、さらに、ＡＣ電源をビデオレコーダ１２に接続すること、即ち、ＵＨＦチューナ９７、ＶＨＦチューナ９９、ＶＨＦチューナ９９に接続された復調器１０１（これらが、本件請求項１３に係る発明の「ＴＶチューナ部」に相当する）、ビデオレコーダ１２及びＴＶ受像機１３に給電すると共に、ＶＨＦチューナ９９に接続された復調器１０１の映像出力、音声出力ををビデオレコーダ１２入力されるように選択切換をすることが記載されており、この技術を上記刊行物１に記載された発明に適用して、ビデオカメラの代わりにＴＶチューナ部を設け、第２モード選択時には、映像記録再生部、映像表示部及びＴＶチューナ部に電源を供給すると共に、ＴＶチューナ部からの映像及び音声信号が映像記録再生部に入力されるべく選択切換するようにすることは、当業者が容易になし得たことと認められる。
　したがって、本件請求項１３に係る発明は、上記刊行物１乃至３に記載された発明に基づいて当業者が容易に発明をすることができたものであり、本件請求項１３に係る発明は、特許法第２９条第２項の規定に違反してされたものである。
Ｖ．むすび
　以上のとおり、本件特許の請求項１、５、９及び１３に係る発明は、上記刊行物１乃至３に記載された発明に基づいて当業者が容易に発明をすることができたものであるから、本件特許の請求項１、５、９及び１３に係る発明の特許は、特許法第２９条第２項の規定に違反してされたものであり、同法第１１３条第１項第２号に該当し、取り消されるべきものである。
　よって、結論のとおり決定する。
【異議決定日】
平成１０年１２月１６日（１９９８．１２．１６）